(57)【要約】  吊下天井は、水平面の吊り下げられた金属ランナーであって、ランナーが、それぞれ、有効な垂直厚さを有する水平フランジを有する、吊り下げ金属ランナーと、ランナーに横方向に整列され、フランジにねじ止めされ、乾式壁シートの端部が、隣接するランナーの中間に突き合わせ接合部を形成する、複数の長方形の乾式壁シートと、突き合わせ接合部および隣接するフランジを覆うボードであって、ボードが、乾式壁シートよりもかなり硬く、それによって、乾式壁シートの端部が覆っているボードに対してねじ止めされるときにフランジの上位レベルに向かって引き上げられ、よって、疑似先細部が、乾式壁シートの端部に形成される、ボードと、を備える。【選択図】図２
2019519703.tif 000002
【特許請求の範囲】
【請求項１】
吊下天井であって、頭上の構造体から水平面に吊り下げられた細長い金属薄板ランナーを形成した、並列の規則的に離間配置されたロールのグリッドであって、前記ランナーが、それぞれ、有効な垂直厚さを有する水平フランジを有する、グリッドと、前記ランナーに横方向に整列され、前記フランジの下部面にねじ止めされ、前記乾式壁シートの端部が、隣接するランナーの中間に位置付けられた突き合わせ接合部を形成する、複数の長方形の乾式壁シートと、突き合わせ接合部および前記隣接するランナーの前記フランジを覆うボードであって、前記ボードが、前記乾式壁シートよりもかなり硬く、それによって、前記乾式壁シートの端部が前記覆っているボードに対してねじ止めされるときに、前記乾式壁シートの端部が前記フランジの上位レベルに向かって引き上げられ、よって、疑似先細部が、前記乾式壁シートの端部に形成されて、前記乾式壁シートの主な中央領域の下部面の上側で接合部テープおよび接合部コンパウンドを受け入れる、ボードと、を備える、吊下天井。
【請求項２】
前記乾式壁シートが、音響性能のために中心領域にわたって穿孔される、請求項１に記載の吊下天井。
【請求項３】
前記グリッドランナーが、前記グリッドランナーに対して横方向に配設された金属製の支持バーから離間配置された並列の整列で吊り下げられ、前記グリッドランナーの補強バルブの隣接する上部分において前記グリッドランナーを把持する、請求項１に記載の吊下天井。
【発明の詳細な説明】
【技術分野】
【０００１】
本発明は、乾式壁天井構造体に関し、特に、乾式壁シート間のテープが貼られた端部接合部を容易に隠す構造体に関する。
【背景技術】
【０００２】
乾式壁シートは、標準幅が４フィートであり、規則的な一連の長さが８、１０、１２、１４、および１６フィート、または業界基準等価物の長方形パネルとして製造されている。シートの長い縁または縁部は、その表面側が先細状になっている。先細状の縁部は、構築されている天井の表面の上方の接合部にテープおよび接合複合材を受け入れ得るようにするために設けられている。シートの端部は、シートの製造に使用される製造プロセスの制限により、先細状になっていない。突き合わせ接合部とも称されることのある、乾式壁シートの端と端との間の接合部は、接合テープの厚さが天井表面の平面に入り込むために、隠すのが困難である。天井の突き合わせ接合部は、間接照明によって強調されることが多いため、一部を隠すことは特に困難である。多くの場合、乾式壁の天井は、突き合わせ接合部の存在を遮蔽するために厚いテクスチャ加工が施されている。比較的滑らかな表面が指定されている場合、および／または乾式壁が多孔質面に由来する音響特性を有する場合、天井のテクスチャ加工は実用的ではない。
【０００３】
米国特許第７，５７８，１０７号および同第８，８９８，９８６号は、横断方向の薄板の乾式壁グリッドティーを吊り下げるために使用できる薄板ストリップまたはバーの例を例解している。ストリップまたはバーは、その長さに沿って、ティーの上部補強バルブを捕捉する規則的なキーホール状のスロットを有する。乾式壁シートは、通常、吊り下げられたグリッドティーのフランジ下側面に自己穿孔ねじで取り付けられる。
【発明の概要】
【０００４】
本発明は、乾式壁突き合わせ接合部を容易に隠す、吊下乾式壁天井のためのグリッドベースの構造体を提供する。本発明の構造体において、グリッドランナーまたはティーは、並列の規則的に離間配置された中心上で水平面に吊り下げられる。乾式壁シートは、グリッドティーの下部面に固定される。乾式壁シートは、それらの長さがグリッドランナーに対して横方向であり、それらの突き合わせ端部が、隣接するグリッドランナーの中間で片持ち支持されるように位置付けられる。平坦面の剛性ブリッジ部材は、隣接するグリッドランナーの間に位置付けられ、乾式壁シートの突き合わせ端部の上に重なる。ブリッジ部材は、隣接するランナーのフランジの頂部において支持され、よって、該ブリッジ部材の下面は、フランジの有効厚さによってランナーフランジの底部平面の上に離間配置される。典型的に、フランジは、その長手方向縁の裾においてより厚くなる。乾式壁シートの端部は、ブリッジ部材にねじ止めされる。
【０００５】
ブリッジ部材の下面がランナーフランジの平面の上側にあるので、乾式壁シートの端部は、ランナーフランジの有効厚さに対応する正確な距離だけ上方へ局所的に屈曲される。
【０００６】
乾式壁シートの端部のこの屈曲は、接合部テープおよび接合部コンパウンドを受け入れるための疑似先細部を形成する効果を有する。疑似先細部は、乾式壁シートの主表面領域の平面の上で、接合部テープおよび接合部コンパウンドを完全に受け入れるのに適している。先細部は、垂直および水平の両方に制限され、よって、接合部を面一にするために狭い幅の接合部コンパウンドだけが必要である。
【０００７】
したがって、本発明は、突き合わせ接合部が、テープおよび接合部コンパウンドが、乾式壁シートの主表面領域の平面から突出することを回避する。本発明は、米国特許第８，６８４，１３４号、同第８，７７０，３４５号、および同第８，９２５，６７７号に開示されるような、音響乾式壁天井に特に有用である。一般に、テープが貼られた突き合わせ接合部が突出するのを隠すために、厚いテクスチャ被覆が使用される。この手法は、そのような被覆が乾式壁シート内の音声吸収開口を封鎖し、音響特性を低減または排除するので、音響天井については有効でない。
【図面の簡単な説明】
【０００８】
【図１】図３の１−１で示される垂直面で切断した吊下乾式壁天井の突き合わせ接合部の部分断面図である。
【図２】図１の突き合わせ接合部の拡大図である。
【図３】本発明を具現化する吊下天井の部分概略平面図である。
【発明を実施するための形態】
【０００９】
吊下天井１０は、グリッドランナー１２に取り付けられた長方形の乾式壁シートまたはパネル１１を含む。乾式壁シート１１は、従来行っているように、石膏に基づくものであり、また、典型的に、幅が４フィートであり、長さが８、１０、１２、１４、または１６フィートであり、厚さが３／８、１／２、または５／８インチである。本開示に記載される寸法は、業界基準等価物を含むことを意図する。通常、シート１１の長い縁は、シートをそれらの長い縁に沿って突き合わせたときに接合部コンパウンドおよび接合部テープを受け入れるために、先細状にされる。
【００１０】
例示されるグリッドランナー１２は、上部補強バルブ１６と、下部フランジ１７と、バルブとフランジとの間の垂直ウェブ１８とを有するＴ型のものである。グリッドランナーまたはティー１２は、薄板、典型的には、当技術分野で知られているように、Ｇ４０熱間浸漬亜鉛めっき鋼の単一の細長いストリップから形成されたロールであり得る。
【００１１】
比較的平坦な天井構造体は、例えば、産業界で、ならびに米国特許第７，５７８，１０７号および同第８，８９８，９８６号によって知られている薄板ハンガーバーを使用することによって得られる。ワイヤ２２によって共通の水平面に吊り下げられたバー２１は、その後に組み立てられたティー１２の中心に対して垂直な方向において４フィートの中心上で並列する行に相互に離間配置される。バー２１は、互いに対して端部方向に位置付けられ、よって、該バーは、ティー１２を垂直に頭上で支持するための補強バルブ１６を捕捉するために、相互整列の長方形の孔２３を示す。
【００１２】
図３は、１６インチの中心上の４フィート×８フィートの乾式壁シート１１およびグリッドティー１２のレイアウトの一実施例を概略的に例示し、後者は、支持バーまたはハンガーバー２１の孔２３を規則的に離間配置することによって決定される。示されるように、シート１１は、ティー１２の長手方向に対して垂直に、または交差方向の該シートの長手方向または横方向に配設される。シート１１は、それらの端部２６が、隣接するグリッドティー１２から中間に離間配置された位置において、片持ち支持され、突き合わせられるように更に配設される。
【００１３】
シート１１は、従来行っているように、シートおよびティーフランジの両方を貫通する自己穿孔ねじ２８によって、グリッドティー１２の下部面２７に取り付けられる。図２を観察すると、グリッドティーフランジ１７の長手方向縁は、フランジ要素の底部から頂部まで縦方向に横断して測定されるフランジ有効厚さを増加させる、中空の裾２９へと折り畳まれることが示される。一例であり、限定するものではないが、有効な厚さは、好ましくは約０．５０インチ〜約０．５５インチとすることができる。
【００１４】
平坦な長方形の剛性ボードの形態のブリッジ要素３１は、２つの乾式壁シート１１の突き合わせ端部２６の上側にあるグリッド空間内に位置付けられる。例示されるブリッジ３１は、公称平面寸法が４フィート×１５−７／８インチで、厚さが５／８インチである平らなボードである。好ましくは、幅寸法は、ボード３１が位置付けられた時点でフランジ１７から容易に落下できないように、隣接するフランジ１７間のギャップよりも大きい。ボード３１は、従来の乾式壁シートより実質的によりもかなり剛性（少なくとも２倍剛性）である。シート１１の突き合わせ端部２６は、好ましくは、シートが最初にねじ２８によって隣接するティー１２に固定された後に、適切なねじ２８によってブリッジボード３１の底面まで引き上げられる。この様態で、乾式壁シート１１の端部は、ティーフランジ１７の有効厚さに近くなる正確な距離だけ上方へ屈曲される。その効果は、乾式壁シート端部２６に疑似先細部を提供することである。隣接するシート端部２６の両方にあるこの疑似先細部は、制限されているが、乾式壁シート１１の主な先細になっていない面領域の平面の上側で接合部テープおよび接合部コンパウンドを完全に受け入れるための十分な垂直寸法の空間を形成する。これは、シート１１を、著しいテクスチャを伴わずに、塗装したときに突き合わせ端部の接合部を目立たなくする平坦度を伴ってテープを貼ることを可能にする。接合部テープは、典型的に、厚さが約０．００６インチ〜０．００９インチで、幅が２インチである。ボードは、そこにねじ止めされるときに乾式壁端部を引き上げるのに十分な剛性であり、よって、疑似先細部は、突き合わせ接合部の縁から１−１／２インチ内側で、少なくとも０．００９インチ上昇する。適切なボード製品は、Ｕｎｉｔｅｄ  Ｓｔａｔｅｓ  Ｇｙｐｓｕｍ  Ｃｏｍｐａｎｙによって販売されている、５／８インチのＦＩＢＥＲＯＣＫ（登録商標）Ａｑｕａ−Ｔｏｕｇｈ（商標）インテリアパネルである。
【００１５】
開示される本発明の吊り下げ配設は、上述した米国特許に開示されているような音響乾式壁製品の用途に特に適している。これらの特許に開示されているように、乾式壁シートは、表面および裏面両方の紙製の被覆を通してそれらの主な領域を通して穿孔され、表面の被覆は、次に、不織布通過させるスクリムで覆われる。最後に、スクリムを塗装して孔を隠し、一方で、十分な多孔性を維持し、空気の通過を可能にし、したがって、穿孔の中への音響の伝達を可能にする。本発明の配設は、接合部を隠すために重い、および／または粗い外観の被覆を伴わずに、音響乾式壁シートの突き合わせ接合部に容易にテープを貼り、仕上げることを可能にする。
【００１６】
この開示は例示であり、本開示に含まれる教示の公正な範囲から逸脱することなく、詳細を追加、修正、または削除することによって様々な変更を行うことができることは明らかであろう。したがって、本発明は、以下の特許請求の範囲がそのように必ず限定される範囲を除いて、本開示の特定の詳細に限定されない。
【図１】
2019519703.tif 000003
【図２】
2019519703.tif 000004
【図３】
2019519703.tif 000005
【国際調査報告】
2019519703.tif 000006
2019519703.tif 000007